(57)【要約】【課題】視聴者に対して視覚上の違和感を与えることなく、視聴中の映像コンテンツに適用する映像処理の切り替えを行うこと。【解決手段】テレビ（１０）は、静止画である第１のフレーム画像が表示されるタイミングで、映像コンテンツに適用する映像処理を切り替える切り替え部（２０６）と、映像処理の切り替え中、第１のフレーム画像と同一のフレーム画像を、表示部（２１６）に表示させる表示制御部（２１４）とを備える。【選択図】図２
2014116920.tif 000002
【特許請求の範囲】
【請求項１】
映像コンテンツを再生する映像コンテンツ再生装置であって、
前記映像コンテンツを構成する複数のフレーム画像の中から、静止画である第１のフレーム画像を特定する特定手段と、
前記映像コンテンツの再生中、前記第１のフレーム画像が表示されるタイミングで、前記映像コンテンツに適用する映像処理を、第１の映像処理と第２の映像処理とで切り替える切り替え手段と、
前記映像処理の切り替え中、前記第１のフレーム画像と同一のフレーム画像を、表示部に表示させる表示制御手段と
を備えることを特徴とする映像コンテンツ再生装置。
【請求項２】
前記表示制御手段は、
前記映像処理の切り替え中、前記第１のフレーム画像と同一のフレーム画像を、フレームメモリから読みだし、前記表示部に表示させる
ことを特徴とする請求項１に記載の映像コンテンツ再生装置。
【請求項３】
前記特定手段は、
対象とするフレーム画像について、他のフレーム画像からの各画素の輝度値の変化に基づいて、当該フレーム画像が前記第１のフレーム画像であるか否かを特定する
ことを特徴とする請求項１または２に記載の映像コンテンツ再生装置。
【請求項４】
前記特定手段は、
対象とするフレーム画像について、他のフレーム画像からの輝度値の変化が第１の閾値よりも小さい画素の画素数が、第２の閾値よりも多い場合に、当該フレーム画像が前記第１のフレーム画像であると特定する
ことを特徴とする請求項３に記載の映像コンテンツ再生装置。
【請求項５】
前記第２の映像処理は、
前記第１の映像処理よりも、処理プロセッサにかかる処理負荷が大きく、
前記切り替え手段は、
当該映像コンテンツ再生装置において、予め定められた機能が停止された後、前記第１のフレーム画像が表示されるタイミングで、前記映像処理を、前記第１の映像処理から、前記第２の映像処理へ切り替える
ことを特徴とする請求項１から４のいずれか一項に記載の映像コンテンツ再生装置。
【請求項６】
前記第２の映像処理は、
前記第１の映像処理よりも、処理プロセッサにかかる処理負荷が大きく、
前記切り替え手段は、
当該映像コンテンツ再生装置において、予め定められた機能が所定時間以内に開始されることが特定された後、前記第１のフレーム画像が表示されるタイミングで、前記映像処理を、前記第２の映像処理から、前記第１の映像処理へ切り替える
ことを特徴とする請求項１から４のいずれか一項に記載の映像コンテンツ再生装置。
【請求項７】
前記第１のフレーム画像は、
黒画面であり、
前記表示制御手段は、
前記映像処理の切り替え中、ミュート処理を行うことにより、前記表示部の表示をブラックアウトさせる
ことを特徴とする請求項１に記載の映像コンテンツ再生装置。
【請求項８】
前記第１のフレーム画像は、
内部パターンに類似する画面であり、
前記表示制御手段は、
前記映像処理の切り替え中、前記内部パターンを、表示部に表示させる
ことを特徴とする請求項１に記載の映像コンテンツ再生装置。
【請求項９】
映像コンテンツを再生する映像コンテンツ再生装置であって、
前記映像コンテンツの再生中、予め定められた機能が開始または停止されるタイミングで、前記映像コンテンツに適用する映像処理を、第１の映像処理と第２の映像処理とで切り替える切り替え手段と、
前記映像処理の切り替え中、前記映像コンテンツの前面に重なるように、予め定められたメッセージを、表示部に表示させる表示制御手段と
を備えることを特徴とする映像コンテンツ再生装置。
【発明の詳細な説明】
【技術分野】
【０００１】
本発明は、映像コンテンツの再生時に利用可能な、映像コンテンツ再生装置に関する。
【背景技術】
【０００２】
近年、テレビジョン受像機（以下、「テレビ」と略称する。）においては、例えば「通常画質モード」、「高画質モード」等、複数の映像処理モードを備えたものが存在する。このようなテレビにおいては、再生中のコンテンツに適用する映像処理モードを、条件または設定に応じて切り替え、出力される映像の画質を変更することが可能となっている。
【０００３】
しかしながら、上記テレビにおいて、映像コンテンツの再生中に、映像処理の切り替えが生じてしまうと、映像の表示が一旦途切れてしまい、視聴者に対して視覚上の違和感を与えてしまう。特に、ユーザの操作によらず、自動的に映像処理の切り替えが生じてしまうと、視聴者に与える違和感は、より強いものとなる。このような問題は、映像処理を切り替える場合のみならず、出力する映像信号を切り替える場合にも発生し、この場合も同様に、視聴者に対して視覚上の違和感を与えてしまう。
【０００４】
そこで、従来、上記視覚上の違和感を抑制する技術が考案されている。例えば、下記特許文献１には、映像信号処理装置において、出力する映像信号を第１の映像信号から第２の映像信号に切り替える際に、（１）第１の映像信号に基づく映像をフェードアウトさせるとともに、第２の映像信号に基づく映像をフェードインさせる、または、（２）第１の映像信号に基づく映像と第２の映像信号に基づく映像との平均輝度レベルに応じた映像を表示することが記載されている。この技術によれば、違和感なくスムーズに映像の切り替えを行うことができると、下記引用文献１に記載されている。
【先行技術文献】
【特許文献】
【０００５】
【特許文献１】特開２００８−２５２７６１号公報（２００８年１０月１６日公開）
【発明の概要】
【発明が解決しようとする課題】
【０００６】
しかしながら、上記特許文献１の技術は、映像信号の切り替え中には、その前後に表示される映像と異なる映像（例えば、黒画面）が表示されるため、表示内容の連続性を保つことができず、上記視覚上の違和感を払拭することができない。
【０００７】
本発明は、上記の問題に鑑みてなされたものであり、その目的は、視聴者に対して視覚上の違和感を与えることなく、視聴中の映像コンテンツに適用する映像処理の切り替えを行うことにある。
【課題を解決するための手段】
【０００８】
上記した課題を解決するため、本発明の一態様に係る映像コンテンツ再生装置は、映像コンテンツを再生する映像コンテンツ再生装置であって、前記映像コンテンツを構成する複数のフレーム画像の中から、静止画である第１のフレーム画像を特定する特定手段と、前記映像コンテンツの再生中、前記第１のフレーム画像が表示されるタイミングで、前記映像コンテンツに適用する映像処理を、第１の映像処理と第２の映像処理とで切り替える切り替え手段と、前記映像処理の切り替え中、前記第１のフレーム画像と同一のフレーム画像を、表示部に表示させる表示制御手段とを備えることを特徴とする。
【発明の効果】
【０００９】
本発明の一態様によれば、視聴者に対して視覚上の違和感を与えることなく、視聴中の映像コンテンツに適用する映像処理の切り替えを行うことができるという効果を奏する。
【図面の簡単な説明】
【００１０】
【図１】本発明の第１実施形態に係るテレビのハードウェア構成を示すブロック図である。
【図２】本発明の第１実施形態に係るテレビの機能構成を示すブロック図である。
【図３】本発明の第１実施形態に係るテレビによる、表示制御処理の手順を示すフローチャートである。
【図４】本発明の第１実施形態に係るテレビにおいて、ある映像から求められた、フレーム差分ヒストグラムの一例（第１例）を示すグラフである。
【図５】本発明の第１実施形態に係るテレビによる、フレーム画像の表示タイミングの一例を示すタイミングチャートである。
【図６】本発明の第１実施形態に係るテレビにおいて、ある映像から求められた、フレーム差分ヒストグラムの一例（第２例）を示すグラフである。
【図７】本発明の第２実施形態に係るテレビによる、表示制御処理の手順を示すフローチャートである。
【図８】本発明の第３実施形態に係るテレビによる、表示制御処理の手順を示すフローチャートである。
【図９】本発明の第３実施形態に係るテレビによる、メッセージの表示例を示す。
【図１０】本発明の第４実施形態に係るテレビによる、表示制御処理の手順を示すフローチャートである。
【図１１】本発明の第４実施形態に係るテレビにおいて、ある映像から検出された輝度ヒストグラムの一例を示す。
【発明を実施するための形態】
【００１１】
以下、本発明の一実施形態について、図面を用いて説明する。
【００１２】
〔テレビ１０のハードウェア構成〕
図１は、本発明の第１実施形態に係るテレビ１０のハードウェア構成を示すブロック図である。
【００１３】
図１に示すテレビ１０は、各種映像コンテンツ（例えば、地上デジタル放送の放送番組コンテンツや、ＢＳ／ＣＳデジタル放送の放送番組コンテンツ等）を再生することにより、当該映像コンテンツをユーザに視聴させることが可能な機器である。
【００１４】
図１に示すように、テレビ１０は、チューナ１１０、映像処理回路１１５、表示制御回路１２０、ディスプレイ１２２、音声出力回路１３０、スピーカ１３２、通信インタフェース１４０、外部機器インタフェース１５０、赤外線受光器１５５、制御回路１６０、およびレコーダ１７０を備えている。
【００１５】
（チューナ１１０）
チューナ１１０は、図示を省略するアンテナまたは通信インタフェース１４０を介して、放送局によって放送された映像コンテンツ（すなわち、放送番組コンテンツ）を受信する。チューナ１１０によって受信された映像コンテンツは、直ちにテレビ１０において再生されるか、または、レコーダ１７０の制御によって記録媒体に録画された後、任意のタイミングで再生される。テレビ１０において再生された映像コンテンツは、その映像データが表示制御回路１２０へ送信されるとともに、その音声データが音声出力回路１３０へ送信される。これにより、上記映像データに対応する映像がディスプレイ１２２に表示されるとともに、上記音声データに対応する音声がスピーカ１３２から出力されることとなる。
【００１６】
テレビ１０において、チューナ１１０の搭載形態は様々である。例えば、テレビ１０として、ある放送種別のチューナ１１０（例えば、地上デジタルチューナ）を１つ備えているもの、放送種別が異なる複数のチューナ１１０（例えば、地上デジタルチューナおよびＢＳ／ＣＳデジタルチューナ）を備えているもの、放送種類が同一の複数のチューナ（例えば、Ｗチューナ）を備えているもの、等が用いられ得る。
【００１７】
（映像処理回路１１５）
映像処理回路１１５は、再生された映像コンテンツに対し、各種映像処理を施す。例えば、映像処理回路１１５は、再生された映像コンテンツに対し、ノイズが強調されないように輪郭を強調する処理を施す。なお、テレビ１０において、映像処理回路１１５を設ける代わりに、映像処理回路１１５の機能を、制御回路１６０が実現する構成を用いてもよい。
【００１８】
（表示制御回路１２０、ディスプレイ１２２）
表示制御回路１２０は、入力された映像データに応じてディスプレイ１２２を制御することにより、各種映像（例えば、映像コンテンツの映像、各種設定画面、番組表等）をディスプレイ１２２に表示させる。ディスプレイ１２２としては、液晶ディスプレイ、有機ＥＬ（Electro Luminescence）ディスプレイ、プラズマディスプレイ、ブラウン管ディスプレイ等が採用され得る。
【００１９】
（音声出力回路１３０、スピーカ１３２）
音声出力回路１３０は、入力された音声データから音声信号を生成し、当該音声信号をスピーカ１３２へ出力することにより、各種音声（例えば、映像コンテンツの音声、各種案内音声、読み上げ音声等）をスピーカ１３２から出力させる。
【００２０】
（通信インタフェース１４０）
通信インタフェース１４０は、通信ネットワークに接続可能であり、当該通信ネットワークへの通信接続、および、当該通信ネットワークを介した外部機器とのデータ通信を制御する。通信インタフェース１４０には、ＬＡＮインタフェース、Ｗｉ−Ｆｉ（Wireless Fidelity）等が採用され得る。例えば、テレビ１０は、通信インタフェース１４０によってインターネットにアクセスすることで、インターネットからコンテンツをダウンロードして再生したり、インターネットからテレビ番組情報等の各種情報を取得して表示したり、インターネットに対して懸賞の応募情報等の各種情報を送信したりすることが可能となる。
【００２１】
（外部機器インタフェース１５０）
外部機器インタフェース１５０は、外部機器が接続可能であり、当該外部機器との通信を制御する。例えば、外部機器インタフェース１５０には、ＵＳＢ、Ｂｌｕｅｔｏｏｔｈ（登録商標）、ＨＤＭＩ（登録商標）（High-Definition Multimedia Interface）等が採用され得る。また、上記外部機器としては、ＨＤＤ（Hard disk drive）レコーダ、ＢＤ（Blu-ray Disc（登録商標））レコーダ等の、各種録画機器および各種再生機器が挙げられる。
【００２２】
（赤外線受光器１５５）
赤外線受光器１５５は、リモコン３０からリモコン信号として送信された赤外線を受光する。赤外線受光器１５５がリモコン信号を受信すると、テレビ１０においては、そのリモコン信号に応じた機能（例えば、選局、音量調整、電源切り替え、入力切り替え、各種設定等）が実行される。なお、図１では、リモコン３０をテレビ１０の外部に示しているが、本実施形態のテレビ１０を、“リモコン３０を備えたテレビ１０”と表現することもできる。
【００２３】
（制御回路１６０）
制御回路１６０は、処理プロセッサとしてＣＰＵ１６２を備え、メモリとしてＲＯＭ（Read Only Memory）１６４およびＲＡＭ（Random Access Memory）１６６を備えて構成されており、上記メモリに記憶されているプログラムをＣＰＵ１６２が実行することにより、テレビ１０の各部を制御したり、テレビ１０の各種機能を実行したりする。
【００２４】
（レコーダ１７０）
レコーダ１７０は、チューナ１１０によって受信された映像コンテンツを、録画する。例えば、レコーダ１７０は、上記映像コンテンツを、テレビ１０の内部または外部に設けられている、ＨＤＤ（Hard disk drive）、ＢＤ（Blu-ray Disc）等の記録媒体（図示省略）に録画する。
【００２５】
例えば、レコーダ１７０は、予め設定された時刻が到来すると、予め設定されたチャンネルの映像コンテンツを録画することができる。また、レコーダ１７０は、ユーザがある映像コンテンツを視聴中に、ユーザによって録画指示がなされると、それ以降、当該映像コンテンツを録画することができる。さらに、レコーダ１７０は、いわゆる裏録画機能を有しており、これにより、ある映像コンテンツの再生中に、他の映像コンテンツを録画することが可能となっている。
【００２６】
〔テレビ１０の機能構成〕
図２は、本発明の第１実施形態に係るテレビ１０の機能構成を示すブロック図である。
【００２７】
以下、テレビ１０が備える表示制御機能について説明する。ここでいう表示制御機能とは、映像コンテンツの再生中において、当該映像コンテンツに対する映像処理の切り替えを行った際に、視聴者に対して違和感を与えないために、テレビ１０が実行する機能のことである。以降では、テレビ１０が備える上記表示制御機能について説明し、テレビ１０が備えるその他の機能については、一般的なテレビジョン受像機が備える機能と同様であるため、説明を省略する。
【００２８】
図２に示すように、テレビ１０は、再生部２０２、特定部２０４、切り替え部２０６、第１映像処理部２０８、第２映像処理部２１０、フレームメモリ２１２、表示制御部２１４、および表示部２１６を備えている。
【００２９】
（再生部２０２）
再生部２０２は、映像コンテンツを再生する。例えば、再生部２０２は、チューナ１１０によって放送局から受信した映像コンテンツを再生する。また、再生部２０２は、テレビ１０が備える記録媒体（図示省略）に録画されている映像コンテンツ（すなわち、レコーダ１７０によって録画された映像コンテンツ）を再生することもできる。
【００３０】
（特定部２０４）
特定部２０４は、再生部２０２によって再生された映像コンテンツを構成する複数のフレーム画像の中から、静止画（以下、「第１のフレーム画像」と称する）を特定する。特定部２０４による静止画の特定方法については、図４を用いて後述する。
【００３１】
（第１映像処理部２０８）
第１映像処理部２０８は、再生部２０２によって再生された映像コンテンツに対して、上記第１の映像処理を施す。本実施形態において、「第１の映像処理」とは、通常の画質の映像を出力するための映像処理のことを意味する。なお、「第１の映像処理」は、映像コンテンツに対して何も映像処理を行わずに、映像コンテンツをそのまま出力する処理であってもよい。
【００３２】
（第２映像処理部２１０）
第２映像処理部２１０は、再生部２０２によって再生された映像コンテンツに対して、上記第１の映像処理とは別の上記第２の映像処理を施す。本実施形態において、「第２の映像処理」とは、より高い画質の映像を出力するための映像処理のことを意味する。第２の映像処理は、第１の映像処理よりも処理工程が多いため、第１の映像処理よりも、ＣＰＵ１６２にかかる処理負荷が高くなっている。
【００３３】
例えば、第２映像処理部２１０は、ノイズを抑制しつつ輪郭を強調する処理を、第２の映像処理として行う。これに限らず、第２映像処理部２１０は、これ以外の処理を第２の映像処理として行ってもよく、複数の映像処理を第２の映像処理として行ってもよい。
【００３４】
（切り替え部２０６）
切り替え部２０６は、再生部２０２によって再生された映像コンテンツに適用する映像処理を、第１の映像処理と第２の映像処理とで切り替える。例えば、テレビ１０は、第１の映像処理を行う第１の映像処理回路と、第２の映像処理を行う第２の映像処理回路とを備えている。この場合、切り替え部２０６は、再生された映像コンテンツの供給先を、第１の映像処理回路と第２の映像処理回路とで切り替える。
【００３５】
切り替え部２０６は、裏録画機能の停止および開始に連動して、上記映像処理の切り替えを自動的に行うことが可能となっている。
【００３６】
例えば、切り替え部２０６は、上記映像コンテンツの再生中に、裏録画機能が起動されると、これに連動して、当該映像コンテンツに適用する映像処理モードを、第２の映像処理モードから第１の映像処理モードへ切り替える。
【００３７】
また、切り替え部２０６は、上記映像コンテンツの再生中に、裏録画機能が停止されると、これに連動して、当該映像コンテンツに適用する映像処理モードを、第１の映像処理モードから第２の映像処理モードへ切り替える。
【００３８】
さらに、切り替え部２０６は、上記映像コンテンツの再生中、特定部２０４によって特定された第１のフレーム画像（静止画）が表示されるタイミングで、上記映像処理の切り替えを行うことが可能となっている。
【００３９】
例えば、切り替え部２０６は、上記映像コンテンツの再生中に、裏録画機能が起動されると、第１のフレーム画像が表示されるタイミングまで、上記映像処理の切り替えを行わず、第１のフレーム画像が表示されるタイミングが到来した時点で、上記映像処理の切り替えを行う。
【００４０】
同様に、切り替え部２０６は、上記映像コンテンツの再生中に、裏録画機能が停止されると、第１のフレーム画像が表示されるタイミングまで、上記映像処理の切り替えを行わず、第１のフレーム画像が表示されるタイミングが到来した時点で、上記映像処理の切り替えを行うことができる。
【００４１】
（フレームメモリ２１２）
フレームメモリ２１２には、映像コンテンツが再生されると、その映像コンテンツを構成する複数のフレーム画像が、順次書き込まれる。フレームメモリ２１２に書き込まれたフレーム画像は、表示制御部２１４によって読み出されることにより、表示部２１６への表示が可能となっている。
【００４２】
（表示制御部２１４、表示部２１６）
表示制御部２１４は、表示部２１６による映像コンテンツの表示を制御する。例えば、表示制御部２１４は、第１映像処理部２０８によって第１の映像処理が施された映像コンテンツを、表示部２１６に表示させる。また、表示制御部２１４は、第２映像処理部２１０によって第２の映像処理が施された映像コンテンツを、表示部２１６に表示させる。
【００４３】
さらに、表示制御部２１４は、映像処理の切り替え時（すなわち、静止画が表示されるタイミング）には、第１のフレーム画像と同一のフレーム画像（以下、「第２のフレーム画像」と称する）を、フレームメモリから読み出し、表示部２１６に表示させる。
【００４４】
上記第２のフレーム画像とは、表示内容が第１のフレーム画像（静止画として判断されたフレーム画像）と略同一のフレーム画像を意味する。例えば、上記第２のフレーム画像は、第１のフレーム画像そのもの、第１のフレーム画像の直前のフレーム画像、第１のフレーム画像の直後のフレーム画像、等である。
【００４５】
（ハードウェアとの対応）
図２に示す機能のうち、例えば、再生部２０２、特定部２０４、切り替え部２０６、第１映像処理部２０８、第２映像処理部２１０、およびフレームメモリ２１２は、図１に示す映像処理回路１１５およびＣＰＵ１６２によって実現され、表示制御部２１４は、図１に示す表示制御回路１２０によって実現され、表示部２１６は、図１に示すディスプレイ１２２によって実現される。
【００４６】
ここで、映像処理回路１１５は、ＣＰＵ１６２と連携して、各種映像処理を行う。例えば、映像処理回路１１５は、比較的処理負荷の高い映像処理を、ＣＰＵ１６２に行わせる。または、映像処理回路１１５は、映像処理を、常にＣＰＵ１６２に行わせる。したがって、映像処理回路１１５による映像処理（特に、第１の映像処理および第２の映像処理）の実行は、ＣＰＵ１６２による他の処理（例えば、裏録画処理）に影響を及ぼす可能性がある。このために、本実施形態のテレビ１０は、裏録画機能の停止および開始に連動して、映像処理の切り替えを自動的に行う構成を採用しているのである。
【００４７】
〔テレビ１０が奏する効果〕
（１）上記のとおり、本実施形態のテレビ１０は、裏録画機能の停止および開始に連動して、上記映像処理の切り替えを自動的に行うことが可能である。
【００４８】
例えば、本実施形態のテレビ１０は、裏録画機能が起動されたことによってＣＰＵ１６２の稼働率が高まった場合には、上記映像コンテンツに適用する映像処理モードを、ＣＰＵ１６２に係る処理負荷がより低い第１の処理モードへ自動的に切り替えることが可能となっている。
【００４９】
また、本実施形態のテレビ１０は、裏録画機能が停止されたことによってＣＰＵ１６２の稼働率が低まった場合には、上記映像コンテンツに適用する映像処理モードを、ＣＰＵ１６２に係る処理負荷がより高い第２の処理モードへ自動的に切り替えることが可能となっている。
【００５０】
これにより、本実施形態のテレビ１０は、ＣＰＵ１６２の稼働率に応じた適切な映像処理を、上記映像コンテンツに適用することができる。したがって、本実施形態のテレビ１０は、裏録画機能に影響を及ぼすことなく、ＣＰＵ１６２を有効利用することができる。
【００５１】
（２）上記のとおり、本実施形態のテレビ１０は、第１のフレーム画像（静止画）が表示されるタイミングで、映像処理の切り替えを行うことが可能である。さらに、本実施形態のテレビ１０は、上記映像処理の切り替え時に、第２のフレーム画像を、フレームメモリから読み出し、表示部２１６に表示させることが可能である。すなわち、本実施形態のテレビ１０において、上記映像処理の切り替え時には、映像の出力が途絶えたり、表示内容が急変したりすることはない。よって、本実施形態のテレビ１０は、視覚上の違和感をユーザに与えることなく、上記映像処理の切り替えを行うことができる。
【００５２】
〔表示制御処理の手順〕
図３は、本発明の第１実施形態に係るテレビ１０による、表示制御処理の手順を示すフローチャートである。
【００５３】
（再生工程、表示工程）
まず、再生部２０２が、映像コンテンツの再生を開始する（ステップＳ３０２）。そして、表示部２１６が、表示制御部２１４の制御により、上記映像コンテンツのフレーム画像（通常のフレーム画像）を、順次、表示する（ステップＳ３０４）。ここでは、テレビ１０において、既に裏録画機能が開始されており、上記映像コンテンツに第１の映像処理が適用されているものとする。
【００５４】
次に、切り替え部２０６が、裏録画機能が停止されたか否かを判断する（ステップＳ３０６）。ステップＳ３０６において、「裏録画機能が停止されていない」と判断された場合（ステップＳ３０６：ＮＯ）、テレビ１０は、ステップＳ３０４へ処理を戻す。一方、ステップＳ３０６において、「裏録画機能が停止された」と判断された場合（ステップＳ３０６：ＹＥＳ）、テレビ１０は、ステップＳ３０８へ処理を進める。
【００５５】
（特定工程）
ステップＳ３０８では、切り替え部２０６が、第１のフレーム画像が表示されるタイミングが到来したか否かを判断する（ステップＳ３０８）。例えば、特定部２０４によって、次に表示されるフレーム画像が静止画（第１のフレーム画像）であると特定された場合、切り替え部２０６は、「第１のフレーム画像が表示されるタイミングが到来した」と判断する。
【００５６】
ステップＳ３０８において、「第１のフレーム画像が表示されるタイミングが到来していない」と判断された場合（ステップＳ３０８：ＮＯ）、表示部２１６は、表示制御部２１４の制御により、引き続き、上記映像コンテンツのフレーム画像（通常のフレーム画像）を、順次、表示する（ステップＳ３１０）。そして、テレビ１０は、ステップＳ３０８へ処理を戻す。
【００５７】
（表示制御工程、切り替え工程）
一方、ステップＳ３０８において、「第１のフレーム画像が表示されるタイミングが到来した」と判断された場合（ステップＳ３０８：ＹＥＳ）、表示制御部２１４が、フレームメモリ２１２から、当該第１のフレーム画像と同一のフレーム画像である第２のフレーム画像を、フレームメモリ２１２から読みだし（ステップＳ３１０）、表示部２１６は、表示制御部２１４の制御により、当該第２のフレーム画像を表示する（ステップＳ３１４）。そして、第２のフレーム画像の表示中に、切り替え部２０６が、上記映像コンテンツに適用する映像処理を、第１の映像処理から第２の映像処理へ切り替える（ステップＳ３１６）。
【００５８】
その後、表示制御部２１４が、上記映像処理の切り替えが終了したか否かを判断する（ステップＳ３１８）。
【００５９】
ステップＳ３１８において、「上記映像処理の切り替えが終了していない」と判断された場合（ステップＳ３１８：ＮＯ）、表示制御部２１４は、「上記映像処理の切り替えが終了した」と判断されるまで、繰り返し、ステップＳ３１８の処理を行う。
【００６０】
そして、ステップＳ３１８において、「上記映像処理の切り替えが終了した」と判断された場合（ステップＳ３１８：ＹＥＳ）、表示部２１６は、表示制御部２１４の制御により、上記映像コンテンツのフレーム画像（通常のフレーム画像）を順次表示し（ステップＳ３２０）、テレビ１０は、図３に示す表示制御処理を終了する。
【００６１】
このように、テレビ１０は、裏録画機能が停止すると、その後、静止画が表示される時に、映像処理を切り替える。そして、当該切り替え中には、上記静止画と同一のフレーム画像を表示する。これにより、テレビ１０は、表示内容の連続性を保持している。
【００６２】
なお、テレビ１０は、図３と同様の手順により、裏録画機能が開始された場合にも、その後、静止画が表示される時に、映像処理の切り替えを行い、当該切り替え中に、上記静止画と同一のフレーム画像を表示することも可能である。
【００６３】
〔静止画の特定方法の具体例〕
図４は、本発明の第１実施形態に係るテレビ１０において、ある映像から求められた、フレーム差分ヒストグラムの一例（第１例）を示すグラフである。
【００６４】
図４に示すフレーム差分ヒストグラムは、特定部２０４により、あるフレーム画像の各画素について、フレーム間（当該フレーム画像と前のフレーム画像との間）の輝度の差分値を統計することによって得られたものであり、当該差分値の度数分布を示すものである。このフレーム差分ヒストグラムにおいて、横軸は、上記差分値（グループ単位）を示し、縦軸は、画素数（度数）を示す。
【００６５】
テレビ１０の特定部２０４は、このように、あるフレーム画像から求められたフレーム差分ヒストグラムに基づいて、当該フレーム画像が静止画（第１のフレーム画像）であるか否かを判断する。
【００６６】
具体的には、特定部２０４は、あるフレーム画像から検出されたフレーム差分ヒストグラムにおいて、以下条件を満たす場合、そのフレーム画像が“静止画（第１のフレーム画像）である”と判断する。
【００６７】
（条件）上記差分値が１（第１の閾値）以下である画素を「差分無」とした場合において、「差分無」に該当する画素数が、全画素数の９０％（第２の閾値）以上である。
【００６８】
例えば、図４に示すフレーム差分ヒストグラムにおいては、全画素が、「差分無」、「差分小」、および「差分大」に分類されている。「差分無」には、上記差分値が０〜１の画素が属する。上記差分値が０〜１の画素は、動きが無い画素であると考えられる。「差分小」には、上記差分値が２〜２４の画素が属する。上記差分値が２〜２４の画素は、動きが無い画素であると考えられ、当該画素に生じた上記差分値は、ノイズによるものと考えられる。「差分大」には、上記差分値が２５〜１０２３の画素が属する。上記差分値が２５〜１０２３の画素は、動きがある画素であると考えられる。
【００６９】
そして、図４に示すフレーム差分ヒストグラムにおいては、「差分無」（すなわち、「動きが無い画素」）の画素数が、全画素数の９０％以上となっている。すなわち、図４に示すフレーム差分ヒストグラムは、上記条件を満たす。このため、特定部２０４は、このフレーム差分ヒストグラムが求められた映像が“静止画（第１のフレーム画像）である”と判断する。
【００７０】
なお、上記条件は、本願の発明者らが、静止画が用いられることが多い天気予報等の映像シーンを分析することによって、見出した好適なものである。ただし、本実施形態に適用する条件は、上記したものに限らず、適宜変更され得るものである。例えば、上記条件においては、第２の閾値を「９０％」としたが、第２の閾値を「８０％」あるいは「７０％」等に変更してもよい。また、上記条件においては、「差分無」の画素数によって判断するものとしたが、図６に例示するように、上記条件を「差分無」の画素数と「差分小」の画素数との合計数によって判断するものに変更してもよい。
【００７１】
図５は、本発明の第１実施形態に係るテレビ１０による、フレーム画像の表示タイミングの一例を示すタイミングチャートである。
【００７２】
図５に示す例では、映像コンテンツの再生中、フレーム画像ｆ１（動画）が表示された時（タイミングｔ１）に、裏録画機能が停止されている。この時点では、テレビ１０は、映像処理を切り替えず、次のフレーム画像ｆ２（動画）を表示する。
【００７３】
そして、テレビ１０は、次のフレーム画像ｆ３（静止画）が表示された時（タイミングｔ２）、このフレーム画像ｆ３が静止画であることを検出すると、この時点で、映像処理を切り替える。
【００７４】
テレビ１０は、映像処理の切り替えが行われている間、フレーム画像ｆ３と同一のフレーム画像ｆ３’をフレームメモリ２１２から読み出し、このフレーム画像ｆ３’を表示し続ける。図５に示す例では、映像処理の切り替えに２フレーム期間を要していることから、テレビ１０は、この２フレーム期間（通常のフレーム画像ｆ４，ｆ５の表示期間に相当する）に亘って、フレーム画像ｆ３’を表示する。
【００７５】
そして、テレビ１０は、映像処理の切り替えが終了すると、上記フレーム画像ｆ３’の表示を解除し、以降、通常のフレーム画像（２フレーム分後ろにシフトしたもの）である、フレーム画像ｆ６，ｆ７，ｆ８，・・・を順次表示する。
【００７６】
このように、本実施形態のテレビ１０は、映像コンテンツの再生中に映像処理の切り替えを行う場合であっても、当該切り替えが行われている間、当該切り替え開始時に表示されたフレーム画像（静止画）と同一のフレーム画像を、フレームメモリ２１２から読み出して表示する。このため、本実施形態のテレビ１０によれば、上記切り替え時に、映像の出力が途絶えたり、表示内容が急変したりすることはなく、視覚上の違和感をユーザに与えることはない。
【００７７】
なお、上記例において、フレーム画像ｆ３’の表示期間は、映像処理の切り替えに要するフレーム期間に応じて、適宜調整され得る。フレーム画像ｆ３’の表示期間内に、映像処理の切り替えが完了するように、フレーム画像ｆ３’の表示期間が設定されることが好ましい。
【００７８】
〔静止画の特定方法の変形例〕
図６は、本発明の第１実施形態に係るテレビ１０において、ある映像から求められた、フレーム差分ヒストグラムの一例（第２例）を示すグラフである。
【００７９】
この変形例では、テレビ１０の特定部２０４は、あるフレーム画像から検出されたフレーム差分ヒストグラムにおいて、以下条件を満たす場合、そのフレーム画像が“静止画（第１のフレーム画像）である”と判断する。
【００８０】
（条件）上記差分値が０〜１である画素を「差分無」とし、上記差分値が２〜２４である画素を「差分小」とした場合において、「差分無」に該当する画素数が、全画素数の７５％以上であり、且つ、「差分無」に該当する画素数と「差分小」に該当する画素数との合計数が、全画素数の９０％以上である。
【００８１】
本変形例によれば、例えばノイズを原因とする差分小の画素が、ある程度含まれている場合であっても、ノイズの影響を排除して、静止画の検出を行うことができる。これにより、高精度で、静止画の検出を行うことができる。
【００８２】
〔第２実施形態〕
次に、図７を参照して、本発明の第２実施形態について説明する。第２実施形態のテレビ１０は、裏録画処理（ＣＰＵの処理負荷が高くなる処理）の発生が予定されている場合に、映像コンテンツに適用する処理を、高画質映像処理（第２の映像処理）から通常画質映像処理（第１の映像処理）に切り替える。以下、第２実施形態のテレビ１０に関し、第１実施形態のテレビ１０との相違点について説明する。
【００８３】
〔表示制御処理の手順〕
図７は、本発明の第２実施形態に係るテレビ１０による、表示制御処理の手順を示すフローチャートである。
【００８４】
（再生工程、表示工程）
まず、再生部２０２が、映像コンテンツの再生を開始する（ステップＳ７０２）。これにより、表示部２１６による映像コンテンツの表示が開始される。ここでは、テレビ１０において、上記映像コンテンツに高画質映像処理（第２の映像処理）が適用されているものとする。
【００８５】
次に、切り替え部２０６が、３０分以内に裏録画処理が開始されるか否かを判断する（ステップＳ７０４）。切り替え部２０６は、録画予約一覧等を参照することにより、上記判断を行うことが可能である。
【００８６】
ステップＳ７０４において、「３０分以内に裏録画処理が開始されない」と判断された場合（ステップＳ７０４：ＮＯ）、テレビ１０は、所定時間（例えば、１分）経過後、再度ステップＳ７０４の処理を行う。一方、ステップＳ７０４において、「３０分以内に裏録画処理が開始される」と判断された場合（ステップＳ７０４：ＹＥＳ）、テレビ１０は、ステップＳ７０６へ処理を進める。
【００８７】
（特定工程）
ステップＳ７０６では、切り替え部２０６が、静止画（第１のフレーム画像）が表示されるタイミングが到来したか否かを判断する（ステップＳ７０６）。ステップＳ７０６において、「静止画が表示されるタイミングが到来していない」と判断された場合（ステップＳ７０６：ＮＯ）、テレビ１０は、再度ステップＳ７０６の処理を行う。
【００８８】
（表示制御工程、切り替え工程）
一方、ステップＳ７０６において、「静止画が表示されるタイミングが到来した」と判断された場合（ステップＳ７０６：ＹＥＳ）、表示制御部２１４が、フレームメモリ２１２から、当該静止画と同一のフレーム画像である第２のフレーム画像を、フレームメモリ２１２から読みだし（ステップＳ７０８）、表示部２１６は、表示制御部２１４の制御により、当該第２のフレーム画像を表示する（ステップＳ７１０）。そして、第２のフレーム画像の表示中に、切り替え部２０６が、上記映像コンテンツに適用する映像処理を、高画質映像処理（第２の映像処理）から通常画質映像処理（第１の映像処理）へ切り替える（ステップＳ７１２）。
【００８９】
その後、表示制御部２１４が、上記映像処理の切り替えが終了したか否かを判断する（ステップＳ７１４）。
【００９０】
ステップＳ７１４において、「上記映像処理の切り替えが終了していない」と判断された場合（ステップＳ７１４：ＮＯ）、表示制御部２１４は、「上記映像処理の切り替えが終了した」と判断されるまで、繰り返し、ステップＳ７１４の処理を行う。
【００９１】
そして、ステップＳ７１４において、「上記映像処理の切り替えが終了した」と判断された場合（ステップＳ７１４：ＹＥＳ）、表示部２１６は、表示制御部２１４の制御により、上記第２のフレーム画像の表示を終了するとともに、上記映像コンテンツのフレーム画像（通常のフレーム画像）を順次表示し（ステップＳ７１６）、テレビ１０は、図７に示す表示制御処理を終了する。
【００９２】
このように、第２実施形態のテレビ１０は、所定時間後（上記例では３０分後としているが、これに限らない）に、裏録画処理が開始されると判断した場合、その判断後、静止画が表示される時に、映像処理を切り替える。そして、当該切り替え中には、上記静止画と同一のフレーム画像を表示する。これにより、第２実施形態のテレビ１０は、裏録画処理の事前に映像処理を切り替えておくことができ、当該切り替えの際には、表示内容の連続性を保持することができる。よって、第２実施形態のテレビ１０は、見た目上の違和感を視聴者に与えることなく、映像処理の切り替えを行うことができる。
【００９３】
〔第３実施形態〕
次に、図８および図９を参照して、本発明の第３実施形態について説明する。第３実施形態のテレビ１０は、第１実施形態のテレビ１０と同様に、裏録画処理（ＣＰＵの処理負荷が高くなる処理）が発生した場合に、映像コンテンツに適用する処理を、高画質映像処理（第２の映像処理）から通常画質映像処理（第１の映像処理）に切り替える。しかしながら、第３実施形態のテレビ１０は、上記映像処理の切り替えの際に、静止画（第２のフレーム画像）を表示するのではなく、メッセージを表示する点で、第１実施形態のテレビ１０と異なる。以下、第３実施形態のテレビ１０に関し、第１実施形態のテレビ１０との相違点について説明する。
【００９４】
〔表示制御処理の手順〕
図８は、本発明の第３実施形態に係るテレビ１０による、表示制御処理の手順を示すフローチャートである。
【００９５】
（再生工程、表示工程）
まず、再生部２０２が、映像コンテンツの再生を開始する（ステップＳ８０２）。これにより、表示部２１６による映像コンテンツの表示が開始される。ここでは、テレビ１０において、上記映像コンテンツに高画質映像処理（第２の映像処理）が適用されているものとする。
【００９６】
次に、切り替え部２０６が、裏録画処理が開始されたか否かを判断する（ステップＳ８０４）。ステップＳ８０４において、「裏録画処理が開始されていない」と判断された場合（ステップＳ８０４：ＮＯ）、テレビ１０は、所定時間（例えば、１分）経過後、再度ステップＳ８０４の処理を行う。一方、ステップＳ８０４において、「裏録画処理が開始された」と判断された場合（ステップＳ８０４：ＹＥＳ）、テレビ１０は、ステップＳ８０６へ処理を進める。
【００９７】
（表示制御工程、切り替え工程）
ステップＳ８０６では、表示部２１６が、表示制御部２１４の制御により、予め定められたメッセージを、上記映像コンテンツの前面に重ねて表示する（ステップＳ８０６）。そして、上記メッセージの表示中に、切り替え部２０６が、上記映像コンテンツに適用する映像処理を、高画質映像処理（第２の映像処理）から通常画質映像処理（第１の映像処理）へ切り替える（ステップＳ８０８）。
【００９８】
その後、表示制御部２１４が、上記映像処理の切り替えが終了したか否かを判断する（ステップＳ８１０）。
【００９９】
ステップＳ８１０において、「上記映像処理の切り替えが終了していない」と判断された場合（ステップＳ８１０：ＮＯ）、表示制御部２１４は、「上記映像処理の切り替えが終了した」と判断されるまで、繰り返し、ステップＳ８１０の処理を行う。
【０１００】
そして、ステップＳ８１０において、「上記映像処理の切り替えが終了した」と判断された場合（ステップＳ８１０：ＹＥＳ）、表示部２１６は、表示制御部２１４の制御により、上記メッセージの表示を終了するとともに、引き続き、上記映像コンテンツのフレーム画像（通常のフレーム画像）を順次表示し（ステップＳ８１２）、テレビ１０は、図８に示す表示制御処理を終了する。
【０１０１】
〔メッセージの表示例〕
図９は、本発明の第３実施形態に係るテレビ１０による、メッセージの表示例を示す。図９は、表示部２１６によって表示された画面の一例を示すものであり、映像コンテンツ９００およびメッセージ９１０を含んで構成されている。映像コンテンツ９００は、再生部２０２によって再生された映像コンテンツである。メッセージ９１０は、映像コンテンツ９００に適用する映像処理が切り替えられる際に、映像コンテンツ９００の前面に重ねて表示されるメッセージであり、文字列「裏録を開始しました。」を含んでいる。
【０１０２】
このように、第３実施形態のテレビ１０は、裏録画処理が開始された場合、再生中の映像コンテンツに適用する映像処理を切り替える。そして、当該切り替え中には、所定のメッセージを映像コンテンツの前面に重ねて表示する。これにより、第３実施形態のテレビ１０は、上記切り替えの際に、上記メッセージに視聴者を注目させることができる。よって、第３実施形態のテレビ１０は、見た目上の違和感を視聴者に与えることなく、映像処理の切り替えを行うことができる。
【０１０３】
〔第４実施形態〕
次に、図１０および図１１を参照して、本発明の第４実施形態について説明する。第４実施形態のテレビ１０は、上記映像処理の切り替えの際に、静止画（第２のフレーム画像）を表示するのではなく、ミュート処理を行う点で、第１実施形態のテレビ１０と異なる。ミュート処理とは、再生中の映像に関する映像信号の出力を遮断し、これにより、表示部２１６の表示画面に、上記再生中の映像を表示させない処理のことである。以下、第４実施形態のテレビ１０に関し、第１実施形態のテレビ１０との相違点について説明する。
【０１０４】
〔表示制御処理の手順〕
図１０は、本発明の第４実施形態に係るテレビ１０による、表示制御処理の手順を示すフローチャートである。ここでは、テレビ１０が、映像処理の切り替えの一例として、画質設定の切り替えを行うものとして、表示制御処理の手順を説明する。
【０１０５】
（再生工程、表示工程）
まず、再生部２０２が、映像コンテンツの再生を開始する（ステップＳ１００２）。これにより、表示部２１６による映像コンテンツの表示が開始される。
【０１０６】
次に、切り替え部２０６が、画質設定の切り替えの必要性が生じたか否かを判断する（ステップＳ１００４）。ステップＳ１００４において、「画質設定の切り替えの必要性が生じていない」と判断された場合（ステップＳ１００４：ＮＯ）、テレビ１０は、再度ステップＳ１００４の処理を行う。一方、ステップＳ１００４において、「画質設定の切り替えの必要性が生じた」と判断された場合（ステップＳ１００４：ＹＥＳ）、テレビ１０は、ステップＳ１００６へ処理を進める。
【０１０７】
（特定工程）
ステップＳ１００６では、切り替え部２０６が、入力されたフレーム画像の輝度ヒストグラムを解析することによって、黒画面が表示されるタイミングが到来したか否かを判断する（ステップＳ１００６）。ステップＳ１００６において、「黒画面が表示されるタイミングが到来していない」と判断された場合（ステップＳ１００６：ＮＯ）、テレビ１０は、再度ステップＳ１００６の処理を行う。
【０１０８】
（表示制御工程、切り替え工程）
一方、ステップＳ１００６において、「黒画面が表示されるタイミングが到来した」と判断された場合（ステップＳ１００６：ＹＥＳ）、表示制御部２１４がミュート処理を行う（ステップＳ１００８）。そして、このミュート処理が行われている間、切り替え部２０６が、画質設定の切り替えを行う（ステップＳ１０１０）。ここで、テレビ１０が、ミュート処理を行うミュート処理部を別途備えている場合、当該ミュート処理部がミュート処理を行うようにしてもよい。
【０１０９】
その後、表示制御部２１４が、上記画質設定の切り替えが終了したか否かを判断する（ステップＳ１０１２）。
【０１１０】
ステップＳ１０１２において、「上記画質設定の切り替えが終了していない」と判断された場合（ステップＳ１０１２：ＮＯ）、表示制御部２１４は、「上記画質設定の切り替えが終了した」と判断されるまで、繰り返し、ステップＳ１０１２の処理を行う。
【０１１１】
そして、ステップＳ１０１２において、「上記画質設定の切り替えが終了した」と判断された場合（ステップＳ１０１２：ＹＥＳ）、表示制御部２１４が、上記ミュート処理を終了する（ステップＳ１０１４）。これにより、表示部２１６は、引き続き、上記映像コンテンツのフレーム画像（通常のフレーム画像）を順次表示することとなる。そして、テレビ１０は、図１０に示す表示制御処理を終了する。
【０１１２】
〔黒画面の特定方法の具体例〕
図１１は、本発明の第４実施形態に係るテレビ１０において、ある映像から検出された輝度ヒストグラムの一例を示す。図１１に示す輝度ヒストグラムは、テレビ１０において、ある映像を構成する複数の画素の輝度を統計することによって得られたものであり、当該輝度の度数分布を示すものである。この輝度ヒストグラムにおいて、横軸は、輝度レベルを示し、縦軸は、画素数（度数）を示す。
【０１１３】
テレビ１０は、このように、ある映像から検出された輝度ヒストグラムに基づいて、その映像が黒画面であるか否かを判断する。例えば、テレビ１０は、以下手順（１）および（２）を実行することにより、その映像が黒画面であるか否かを判断する。
【０１１４】
（１）「黒つぶれした画素」とみなすことができる輝度レベルを閾値として設定する。
【０１１５】
（２）輝度ヒストグラムにおいて、ヒストグラムデータがすべて上記閾値以下の場合、その輝度ヒストグラムが得られた映像を、黒画面と判断する。
【０１１６】
例えば、図１１に示す輝度ヒストグラムにおいては、輝度レベル「２５」が上記閾値として設定されている。画素の輝度レベルが「０」〜「２５」の範囲内であれば、その画素を、概ね黒つぶれされている画素とみなすことができるからである。
【０１１７】
テレビ１０は、上記閾値を設定する際、現在適用されている画質設定を考慮してもよい。上記画質設定において、上記閾値に関係する設定項目および設定値の一例を、以下に示す。
【０１１８】
（１）メーカ初期値−ガンマ    ：つぶれ量「０」
（２）メーカ初期値−黒レベル  ：つぶれ量「−１」
（３）ユーザ設定値−ガンマ    ：つぶれ量「＋２」
（４）ユーザ設定値−黒レベル  ：つぶれ量「０」
例えば、上記設定例において、つぶれ量の設定値の合計は「＋１」である。この場合、輝度レベルが「２６」の画素についても、概ね黒つぶれされている画素とみなすことができる。このため、テレビ１０は、輝度レベル「２６」を、上記閾値として設定してもよい。
【０１１９】
なお、モード変更や、設定変更等により、上記設定値に変更が生じた場合、テレビ１０は、変更後の設定値に応じて、上記閾値を再算出し、再算出された閾値を新たに設定してもよい。
【０１２０】
このように、第４実施形態のテレビ１０は、黒画面が表示されるタイミングで、ミュート処理を行い、このミュート処理が行われている間に、再生中の映像コンテンツに適用する映像処理を切り替える。これにより、第４実施形態のテレビ１０は、上記ミュート処理が行われたことをユーザに意識させることなく（すなわち、上記黒画面が引き続き表示されているものとユーザに認識させつつ）、上記映像処理の切り替えを行うことができる。よって、第４実施形態のテレビ１０は、見た目上の違和感を視聴者に与えることなく、映像処理の切り替えを行うことができる。
【０１２１】
〔第４実施形態の変形例〕
上記表示制御処理（ステップＳ１００６）において、切り替え部２０６は、黒画面が表示されるタイミングが到来したか否かを判断する代わりに、予め定められた内部パターンに類似する画面が表示されるタイミングが到来したか否かを判断してもよい。この場合、上記表示制御処理（ステップＳ１００８）において、表示制御部２１４は、ミュート処理を行う代わりに、上記内部パターンをメモリから読み出して、当該内部パターンを表示部２１６に表示させてもよい。
【０１２２】
例えば、テレビ１０は、予め、上記内部パターンの輝度ヒストグラムと、上記内部パターンの彩度ヒストグラムとを求めておく。そして、テレビ１０は、入力された映像から検出された輝度ヒストグラムと、上記内部パターンの輝度ヒストグラムとが一致または類似し、且つ、入力された映像から検出された彩度ヒストグラムと、上記内部パターンの彩度ヒストグラムとが一致または類似した場合に、「入力された映像が内部パターンに類似する画面である」と判断する。
【０１２３】
ここで、輝度ヒストグラムとは、テレビ１０において、ある映像を構成する複数の画素の輝度を統計することによって得られたものであり、当該輝度の度数分布を示すものである。また、彩度ヒストグラムとは、テレビ１０において、ある映像を構成する複数の画素の彩度を統計することによって得られたものであり、当該彩度の度数分布を示すものである。
【０１２４】
例えば、白画面は、輝度ヒストグラムにおいて、輝度レベル「１００％（例えば、輝度信号値が１６〜２３５の範囲を有する場合、２３５がこれに相当する）」に全画素が集中し、彩度ヒストグラムにおいて、彩度レベル「０（色なし）」に全画素が集中するため、輝度ヒストグラムおよび彩度ヒストグラムから、容易に特定することが可能である。
【０１２５】
同様に、単色画面（例えば、赤画面、青画面等）は、輝度ヒストグラムにおいて、ある輝度レベルに全画素が集中し、彩度ヒストグラムにおいて、ある彩度レベルに全画素が集中するため、輝度ヒストグラムおよび彩度ヒストグラムから、容易に特定することが可能である。
【０１２６】
また、単色の領域がいくつか組み合わされた画面（例えば、カラーバー画面等）は、その色の組み合わせに応じて、輝度ヒストグラムにおいては、複数の輝度レベルに画素が集中し、彩度ヒストグラムにおいて、複数の彩度レベルに画素が集中するため、輝度ヒストグラムおよび彩度ヒストグラムから、容易に特定することが可能である。
【０１２７】
この変形例のテレビ１０によれば、所定の内部パターンに類似する画面が表示されるタイミングで、内部パターンを表示し、この内部パターンが表示されている間に、再生中の映像コンテンツに適用する映像処理を切り替える。これにより、この変形例のテレビ１０は、上記ミュート処理が行われたことをユーザに意識させることなく（すなわち、上記類似する画面が引き続き表示されているものとユーザに認識させつつ）、上記映像処理の切り替えを行うことができる。よって、この変形例のテレビ１０は、見た目上の違和感を視聴者に与えることなく、映像処理の切り替えを行うことができる。
【０１２８】
〔ソフトウェアによる実現例〕
テレビ１０の制御ブロックは、集積回路（ＩＣチップ）等に形成された論理回路（ハードウェア）によって実現してもよいし、ＣＰＵ（Central Processing Unit）を用いてソフトウェアによって実現してもよい。
【０１２９】
後者の場合、テレビ１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１３０】
〔補足事項〕
本発明は上述した各実施形態に限定されるものではなく、請求項に示した範囲で種々の変更が可能であり、また、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０１３１】
（適用対象装置）
本実施形態では、本発明をテレビジョン受像機に適用する例を説明した。これに限らず、本発明は、少なくとも映像コンテンツを再生することが可能な装置であれば、どのような装置にも適用することができる。例えば、本発明は、チューナ機器、プレーヤ機器、レコーダ機器、スマートフォン、タブレット端末、携帯電話等にも、適用することができる。
【０１３２】
（映像処理）
本実施形態では、２つの映像処理の間で、映像コンテンツに適用する映像処理を切り替える例を説明したが、これに限らず、３つ以上の映像処理の間で、映像コンテンツに適用する映像処理を切り替える構成としてもよい。
【０１３３】
（静止画の定義）
本実施形態では、フレーム差分ヒストグラムに基づいて、静止画を特定する方法を採用しているが、これ以外の方法を用いて、静止画を特定してもよい。例えば、他のフレームとの間における動きベクトルを算出し、当該動きベクトルに基づいて、静止画を特定してもよい。
【０１３４】
また、本実施形態では、１つの静止画が検出された場合に、映像処理の切り替えを行うこととしているが、複数の静止画が連続して検出された場合、映像処理の切り替えを行うようにしてもよい。これにより、静止画の検出精度を高めることが可能である。
【０１３５】
なお、本書における「静止画」は、完全に動きが静止しているフレーム画像のみに限らない。少なくとも、視聴者によって概ね静止画として認識され得るものであり、且つ、予め定められた条件を満たすものであれば、「静止画」の範疇に含まれる。
【０１３６】
〔まとめ〕
以上のように、本実施形態の映像コンテンツ再生装置（テレビ１０）は、映像コンテンツを再生する映像コンテンツ再生装置であって、前記映像コンテンツを構成する複数のフレーム画像の中から、静止画である第１のフレーム画像を特定する特定手段（特定部２０４）と、前記映像コンテンツの再生中、前記第１のフレーム画像が表示されるタイミングで、前記映像コンテンツに適用する映像処理を、第１の映像処理と第２の映像処理とで切り替える切り替え手段（切り替え部２０６）と、前記映像処理の切り替え中、前記第１のフレーム画像と同一のフレーム画像を、表示部に表示させる表示制御手段（表示制御部２１４）とを備えることを特徴とする。
【０１３７】
本映像コンテンツ再生装置によれば、映像コンテンツの再生中に映像処理の切り替えを行う場合であっても、当該切り替えが行われている間、当該切り替え開始時に表示された第１のフレーム画像（静止画）と同一のフレーム画像を表示する。このため、本実施形態のテレビによれば、上記切り替え時に、映像の出力が途絶えたり、表示内容が急変したりすることはなく、視覚上の違和感をユーザに与えることはない。
【０１３８】
上記映像コンテンツ再生装置において、前記表示制御手段は、前記映像処理の切り替え中、前記第１のフレーム画像と同一のフレーム画像を、フレームメモリから読みだし、前記表示部に表示させることが好ましい。
【０１３９】
この構成によれば、上記同一のフレーム画像をフレームメモリから読み出すため、迅速且つ確実に、上記同一のフレーム画像を取得および表示することができる。また、この構成によれば、“フレームメモリからフレーム画像を読み出す”という既に確立されている技術を用いることが可能なため、容易に実現可能である。
【０１４０】
上記映像コンテンツ再生装置において、前記特定手段は、対象とするフレーム画像について、他のフレーム画像からの各画素の輝度値の変化に基づいて、当該フレーム画像が前記第１のフレーム画像であるか否かを特定することが好ましい。
【０１４１】
上記輝度値は、フレーム画像における各画素の輝度値の変化は、映像コンテンツにおける表示内容の変化を如実に表すものであるため、この構成によれば、対象とするフレーム画像が静止画であるか否かを、高精度で特定することができる。
【０１４２】
また、上記映像コンテンツ再生装置において、前記特定手段は、対象とするフレーム画像について、他のフレーム画像からの輝度値の変化が第１の閾値よりも小さい画素の画素数が、第２の閾値よりも多い場合に、当該フレーム画像が前記第１のフレーム画像であると特定することが好ましい。
【０１４３】
この構成によれば、対象とするフレーム画像が静止画であるか否かを、簡単なロジックを用いて、高精度で特定することができる。また、映像コンテンツの種類に応じて、上記各閾値を調整することで、より高精度な特定が可能である。
【０１４４】
また、上記映像コンテンツ再生装置において、前記第２の映像処理は、前記第１の映像処理よりも、処理プロセッサにかかる処理負荷が大きく、前記切り替え手段は、当該映像コンテンツ再生装置において、予め定められた機能が停止された後、前記第１のフレーム画像が表示されるタイミングで、前記映像処理を、前記第１の映像処理から、前記第２の映像処理へ切り替えることが好ましい。
【０１４５】
この構成によれば、上記予め定められた機能からＣＰＵが解放された状態で、映像コンテンツに対して上記第２の映像処理を適用することができる。すなわち、この構成によれば、上記予め定められた機能と、上記第２の映像処理とが同時に実行されることはなく、ＣＰＵ過剰な負荷がかかることを防止することができる。
【０１４６】
また、上記映像コンテンツ再生装置において、前記予め定められた機能は、裏録画機能であることが好ましい。
【０１４７】
特に、裏録画機能は、ＣＰＵの占有率が高い機能であるため、この構成によれば、ＣＰＵの負荷を抑制する効果を高めることができる。
【０１４８】
また、上記映像コンテンツ再生装置において、前記第２の映像処理は、前記第１の映像処理よりも、処理プロセッサにかかる処理負荷が大きく、前記切り替え手段は、当該映像コンテンツ再生装置において、予め定められた機能が所定時間以内に開始されることが特定された後、前記第１のフレーム画像が表示されるタイミングで、前記映像処理を、前記第２の映像処理から、前記第１の映像処理へ切り替えることが好ましい。
【０１４９】
この構成によれば、事前に、映像処理の切り替えを行うことができる。すなわち、映像処理の切り替えタイミングと、予め定められた機能の開始タイミングとをずらすことができる。このため、映像処理の切り替えが行われることをユーザに意識させることなく、当該映像処理の切り替えをおこなうことができる。
【０１５０】
また、上記映像コンテンツ再生装置において、前記第１のフレーム画像は、黒画面であり、前記表示制御手段は、前記映像処理の切り替え中、ミュート処理を行うことにより、前記表示部の表示をブラックアウトさせることが好ましい。
【０１５１】
この構成によれば、黒画面が表示されるタイミングで、映像処理の切り替えを行い、映像処理の切り替えが行われている間、ミュート処理を行うことにより、表示部による表示状態を、黒画面が表示されている状態と同一の状態とすることができる。このため、この構成によれば、上記切り替え時に、表示内容が急変したりすることはなく、視覚上の違和感をユーザに与えることはない。
【０１５２】
また、上記映像コンテンツ再生装置において、前記第１のフレーム画像は、内部パターンに類似する画面であり、前記表示制御手段は、前記映像処理の切り替え中、前記内部パターンを、表示部に表示させることが好ましい。
【０１５３】
この構成によれば、内部パターンに類似する画像が表示されるタイミングで、映像処理の切り替えを行い、映像処理の切り替えが行われている間、内部パターンを表示することができる。このため、この構成によれば、上記切り替え時に、表示内容が急変したりすることはなく、視覚上の違和感をユーザに与えることはない。
【０１５４】
また、本実施形態の映像コンテンツ再生装置は、映像コンテンツを再生する映像コンテンツ再生装置であって、前記映像コンテンツの再生中、予め定められた機能が開始または停止されるタイミングで、前記映像コンテンツに適用する映像処理を、第１の映像処理と第２の映像処理とで切り替える切り替え手段と、前記映像処理の切り替え中、予め定められたメッセージを、前記映像コンテンツの前面に重なるように、表示部に表示させる表示制御手段とを備えることを特徴とする。
【０１５５】
本映像コンテンツ再生装置によれば、映像処理の切り替え中に、所定のメッセージを映像コンテンツの前面に重ねて表示することにより、上記切り替えの際に、上記メッセージに視聴者を注目させることができる。よって、本映像コンテンツ再生装置によれば、見た目上の違和感を視聴者に与えることなく、映像処理の切り替えを行うことができる。
【０１５６】
また、本実施形態のテレビジョン受像機は、上記映像コンテンツ再生装置を備えることを特徴とする。
【０１５７】
また、本実施形態の表示制御方法は、再生された映像コンテンツの表示を制御する表示制御方法であって、前記映像コンテンツを構成する複数のフレーム画像の中から、静止画である第１のフレーム画像を特定する特定工程と、前記映像コンテンツの再生中、前記第１のフレーム画像が表示されるタイミングで、前記映像コンテンツに適用する映像処理を、第１の映像処理と第２の映像処理とで切り替える切り替え工程と、前記映像処理の切り替え中、前記第１のフレーム画像と同一のフレーム画像を、表示部に表示させる表示制御工程とを含むことを特徴とする。
【０１５８】
また、本実施形態のプログラムは、コンピュータを上記映像コンテンツ再生装置として機能させるためのプログラムであって、前記コンピュータを前記映像コンテンツ再生装置が備える前記各手段として機能させる。
【０１５９】
また、本実施形態の記録媒体は、上記プログラムを記録しているコンピュータ読み取り可能な記録媒体である。
【０１６０】
上記テレビジョン受像機、上記表示制御方法、上記プログラム、および上記記録媒体によれば、上記映像コンテンツ再生装置と同様の効果を奏することができる。
【産業上の利用可能性】
【０１６１】
本発明は、映像コンテンツを再生すること可能な各種装置（例えば、テレビジョン受像機、チューナ機器、プレーヤ機器、レコーダ機器、スマートフォン、タブレット端末、携帯電話等）において、高品位な映像の出力を実現するための一手法として、好適に利用することができる。
【符号の説明】
【０１６２】
１０    テレビ（映像コンテンツ再生装置、テレビジョン受像機）
３０    リモコン
１１０  チューナ
１１５  映像処理回路
１２０  表示制御回路
１２２  ディスプレイ
１３０  音声出力回路
１３２  スピーカ
１４０  通信インタフェース
１５０  外部機器インタフェース
１５５  赤外線受光器
１６０  制御回路（制御装置）
１６２  ＣＰＵ
１６４  ＲＯＭ
１６６  ＲＡＭ
１７０  レコーダ
２０２  再生部（再生手段）
２０４  特定部（特定手段）
２０６  切り替え部（切り替え手段）
２０８  第１映像処理部
２１０  第２映像処理部
２１２  フレームメモリ
２１４  表示制御部（表示制御手段）
２１６  表示部
【図１】
2014116920.tif 000003
【図２】
2014116920.tif 000004
【図３】
2014116920.tif 000005
【図４】
2014116920.tif 000006
【図５】
2014116920.tif 000007
【図６】
2014116920.tif 000008
【図７】
2014116920.tif 000009
【図８】
2014116920.tif 000010
【図９】
2014116920.tif 000011
【図１０】
2014116920.tif 000012
【図１１】
2014116920.tif 000013